(57)【要約】【課題】ロータヨークの内径が変わっても、同じものを使用できる周波数発電機用マグネットを得る。【解決手段】環状の複数のロータ取付け部１３ａ，１３ｂを、周波数発電機用マグネット本体１２に直径を違えて同心状に設ける。【選択図】  図１
2004180443.tif 000002
【特許請求の範囲】
【請求項１】
環状をなしていてその周方向にＮ極とＳ極が交互に設けられている周波数発電機用マグネット本体に、これをロータに取付けるためのロータ取付け部が環状に設けられている周波数発電機用マグネットにおいて、
環状の前記ロータ取付け部は前記周波数発電機用マグネット本体に直径を違えて同心状に複数設けられていることを特徴とする周波数発電機用マグネット。
【発明の詳細な説明】
【０００１】
【発明の属する技術分野】
本発明は、周波数発電機のロータに支持させて、ステータの発電部に対して回転して磁界を与える環状の周波数発電機用マグネットに関するものである。
【０００２】
【従来の技術】
図３は従来の電動機とこれに設けられた周波数発電機の構成を示す縦断面図である。
【０００３】
従来の電動機１は、ある内径のカップ状のロータヨーク２と、その筒部２ａの内周に取付けられた永久磁石３とからなるロータ４を備え、該ロータ４はカップ状のロータヨーク２の底部２ｂの中心に取付けられた回転軸５に支持されている。この回転軸５は、筒状のブラケット６の中心に差し込まれ、軸受７で回転自在に支持されている。ブラケット６の外周には、ステータ鉄心８が固定され、このステータ鉄心８の外周の凸極にコイル９が巻装されてステータ１０が設けられている。ブラケット６には、この電動機１を駆動，制御するためのコントローラを搭載したプリント回路板１１が一体に支持されている。
【０００４】
ロータヨーク２の筒部２ａの先端には、環状をなしていてその周方向にＮ極とＳ極が交互に設けられている周波数発電機用マグネット本体１２が、その環状のアングル溝からなるロータ取付け部１３をロータヨーク２の筒部２ａの先端に嵌めて固定されている。これら周波数発電機用マグネット本体１２とロータ取付け部１３とで周波数発電機用マグネット１４が構成されている。この周波数発電機用マグネット１４に対向してプリント回路板１１には、ホール素子からなる発電部１５が固設されている。これら周波数発電機用マグネット１４と発電部１５とで周波数発電機１６が構成されている。この周波数発電機１６から出力されるパルス信号によりロータ４の回転数や位置が検出されるようになっている（例えば、特許文献１参照。）。
【０００５】
このような周波数発電機１６では、ロータヨーク２の筒部２ａの内径が大きいロータヨーク２´になった場合、そのロータヨーク２´の内径に応じた大きな内径のロータ取付け部１３´を有する大型の周波数発電機用マグネット１４´にして対応させていた。
【０００６】
【特許文献１】
特開平６−７０５２８号公報
【０００７】
【発明が解決しようとする課題】
しかしながら、このようにロータヨーク２の内径が変わったロータヨーク２´になる毎に、周波数発電機用マグネット１４をその内径に合わせた周波数発電機用マグネット１４´に変更するのでは、コストアップする問題点があった。
【０００８】
本発明の目的は、ロータヨークの内径が変わっても、同じものを使用できる周波数発電機用マグネットを提供することにある。
【０００９】
【課題を解決するための手段】
本発明は、環状をなしていてその周方向にＮ極とＳ極が交互に設けられている周波数発電機用マグネット本体に、これをロータに取付けるためのロータ取付け部が環状に設けられている周波数発電機用マグネットを対象とする。
【００１０】
本発明に係る周波数発電機用マグネットでは、環状のロータ取付け部は周波数発電機用マグネット本体に直径を違えて同心状に複数設けられていることを特徴とする。
【００１１】
このように環状のロータ取付け部が、周波数発電機用マグネット本体に直径を違えて同心状に複数設けられていると、ロータヨークの内径が変わっても、その内径に応じた径のロータ取付け部を用いることにより、同じ周波数発電機用マグネットを使用することができ、コストの低減を図ることができる。
【００１２】
【発明の実施の形態】
図１は電動機と本発明に係る周波数発電機用マグネットを用いた周波数発電機の実施の形態の第１例の構成を示す縦断面図である。なお、前述した図３と対応する部分には、同一符号をつけて示している。
【００１３】
本例の周波数発電機用マグネット１４は、周波数発電機用マグネット本体１２が、大きさの異なるロータヨーク２，２´に共用できるように、内径と外径の間の径方向の寸法を、図３に示す周波数発電機用マグネット本体１２より大きくしたものが用いられている。この周波数発電機用マグネット本体１２には、大きさの異なるロータヨーク２，２´に共用できるように、その内周側上部と外周側上部とにアングル溝からなるロータ取付け部１３ａ，１３ｂが直径を違えて同心状に複数設けられている。
【００１４】
このような周波数発電機用マグネット１４では、内径の小さいロータヨーク２の場合には、内周側のロータ取付け部１３ａを該ロータヨーク２の筒部２ａの先端内周に嵌めて固定する。また、内径の大きいロータヨーク２´の場合には、外周側のロータ取付け部１３ｂを該ロータヨーク２´の筒部２ａ´の先端内周に嵌めて固定する。
【００１５】
このように環状の複数のロータ取付け部１３ａ，１３ｂが、周波数発電機用マグネット本体１２に直径を違えて同心状に設けられていると、ロータヨーク２，２´の内径が変わっても、その内径に応じた径のロータ取付け部１３ａ，１３ｂを用いることにより、同じ周波数発電機用マグネット１４を使用することができ、コストの低減を図ることができる。
【００１６】
この例では、周波数発電機用マグネット本体１２の内外のロータ取付け部１３ａ，１３ｂの間の上面に、図示しないが同心状に環状溝よりなるロータ取付け部を更に設けると、径の異なる３つのロータヨークに対応させることができる。
【００１７】
図２は電動機と本発明に係る周波数発電機用マグネットを用いた周波数発電機の実施の形態の第２例の構成を示す縦断面図である。なお、前述した図１と対応する部分には、同一符号をつけて示している。
【００１８】
本例の周波数発電機用マグネット１４も、周波数発電機用マグネット本体１２が、大きさの異なるロータヨーク２，２´に共用できるように、内径と外径の間の径方向の寸法を、図３に示す周波数発電機用マグネット本体１２より大きくしたものが用いられている。この周波数発電機用マグネット本体１２には、大きさの異なるロータヨーク２，２´に共用できるように、その上面の中央に環状溝からなるロータ取付け部１３ｃが溝幅を大きくして設けられている。
【００１９】
このような周波数発電機用マグネット１４では、内径の小さいロータヨーク２の場合には、ロータ取付け部１３ｃの内周側のコーナ部を該ロータヨーク２の筒部２ａの先端内周に嵌めて固定する。また、内径の大きいロータヨーク２´の場合には、ロータ取付け部１３ｃの外周側のコーナ部を該ロータヨーク２´の筒部２ａ´の先端内周に嵌めて固定する。
【００２０】
このように環状溝からなるロータ取付け部１３ｃが、周波数発電機用マグネット本体１２の上面に設けられていると、ロータヨーク２，２´の内径が変わっても、その環状溝からなるロータ取付け部１３ｃの内周側や外周側のコーナ部を用いることにより、同じ周波数発電機用マグネット１４を使用することができ、コストの低減を図ることができる。
【００２１】
この例では、周波数発電機用マグネット本体１２の内周側と外周側にアングル溝よりなるロータ取付け部を更に設けると、径の異なる４つのロータヨークに対応させることができる。
【００２２】
上記例では、ロータヨーク２，２´に周波数発電機用マグネット１４を取付けた例について示したが、永久磁石３，３´に周波数発電機用マグネット１４を同様にして取付けることもできる。
【００２３】
【発明の効果】
本発明に係る周波数発電機用マグネットでは、環状のロータ取付け部が、周波数発電機用マグネット本体に直径を違えて同心状に複数設けられているので、ロータヨークの内径が変わっても、その内径に応じた径のロータ取付け部を用いることにより、同じ周波数発電機用マグネットを使用することができ、コストの低減を図ることができる。
【図面の簡単な説明】
【図１】電動機と本発明に係る周波数発電機用マグネットを用いた周波数発電機の実施の形態の第１例の構成を示す縦断面図である。
【図２】電動機と本発明に係る周波数発電機用マグネットを用いた周波数発電機の実施の形態の第２例の構成を示す縦断面図である。
【図３】従来の電動機と周波数発電機の構成を示す縦断面図である。
【符号の説明】
１  電動機
２，２´  ロータヨーク
２ａ，２ａ´  筒部
２ｂ，２ｂ´  底部
３  永久磁石
４  ロータ
５  回転軸
６  ブラケット
７  軸受
８  ステータ鉄心
９  コイル
１０  ステータ
１１  プリント回路板
１２，１２´  周波数発電機用マグネット本体
１３，１３´，１３ａ〜１３ｃ  ロータ取付け部
１４，１４´  周波数発電機用マグネット
１５  発電部
１６  周波数発電機
【図１】
2004180443.tif 000003
【図２】
2004180443.tif 000004
【図３】
2004180443.tif 000005